(57)【特許請求の範囲】
【請求項１】
パッドを有し、該パッドの打叩に応答して楽音信号を発生するようにした電子ドラムにおいて、前記パッドの外周であるパッド枠の少なくとも一部を発光させるための発光手段を有することを特徴とする電子ドラム。
【請求項２】
複数のパッドを有し、該各パッドの打叩に応答して楽音信号を発生するようにした電子ドラムにおいて、前記各パッド毎に設けられ、前記パッドの外周であるパッド枠の少なくとも一部を発光させるための発光手段と、前記各パッド毎に独立に前記発光手段の発光態様を制御する制御手段とを設けたことを特徴とする電子ドラム。
【請求項３】
請求項２記載の電子ドラムにおいて、さらに、前記各パッドに対して任意の音色を割り当てる音色割当手段と、前記各パッドの打叩に応答して、該打叩されたパッドに対して前記音色割当手段で割り当てられた音色の楽音信号を発生する楽音発生手段とを設け、前記制御手段は、前記音色割当手段で各パッドに割当てられた音色に応じて前記各パッド毎に独立に前記発光手段の発光態様を制御することを特徴とする電子ドラム。
【発明の詳細な説明】
【０００１】
【発明の属する技術分野】
本発明は、パッドが打叩されたことによる振動などを、このパッドに内蔵されたトリガ素子で検出し、電子的手段により発声させて成る電子ドラムに関するものであり、詳細には前記パッドに発光手段を設けた構成に係るものである。
【０００２】
【従来の技術】
従来の発光部が設けられた電子ドラムの例としては、例えば、特開昭６２―１４１５９２号公報に示されるように、複数のパッドで構成されているドラムセットの、それぞれのパッドの近傍に表示灯を設置しておき、あるパッドが打叩されるべきタイミングでそのパッドに付随する表示灯を点灯させて、演奏者の指導を行うものがある。
【０００３】
【発明が解決しようとする課題】
しかしながら、前記した従来の電子ドラムにおいては、パッドの近傍に表示灯を設けるようにしているに過ぎないので、ステージなどの暗い場所で演奏する場合には、演奏者がパッドの位置を正確に把握することができず、パッドでない部分を打叩したり、他のパッドを打叩するなど誤演奏の原因となった。
【０００４】
また、前記した従来の電子ドラムにおいては、表示灯はパッドを打叩するタイミングを表示するに過ぎないため、各パッドに割り当てられた音色などを把握することはできなかった。そこで、本発明は暗い場所で演奏する場合の誤演奏を防ぐことのできる電子ドラムを提供することを目的としている。また、本発明は各パッドに割り当てられた音色などを容易に把握できる電子ドラムを提供することを目的としている。
【０００５】
【課題を解決するための手段】
本発明は前記した従来の課題を解決するための具体的な手段として、パッドを有し、該パッドの打叩に応答して楽音信号を発生するようにした電子ドラムにおいて、前記パッドの外周であるパッド枠の少なくとも一部を発光させるための発光手段を有することを特徴とする電子ドラムを提供することで、演奏者がパッドの位置を正確に把握できるものとすると共に、加えて、各パッド毎に独立に発光手段の発光態様を制御する制御手段と、各パッドに対して任意の音色を割り当てる音色割り当て手段と、各パッドの打叩に応答して、該打叩されたパッドに対して音色割当手段で割り当てられた音色の楽音信号を発生する楽音発生手段とを設け、前記制御手段は、前記音色割当手段で各パッドに割当てられた音色に応じて前記各パッド毎に独立に発光手段の発光態様を制御することを特徴とする電子ドラムを提供することで演奏者が音色なども容易に把握できるものとして従来の課題を解決するものである。
【０００６】
【発明の実施の形態】
つぎに、本発明を図に示す実施形態に基づいて詳細に説明する。図１に符号１で示すものは本発明に係る電子ドラムの要部であり、この電子ドラム１は、ドラム用パッド２Ａ、シンバル用パッド２Ｂ、バスドラム用パッド２Ｃ、ハイハット用パッド２Ｄなど各種のパッド２（Ａ〜Ｄ）のそれぞれが任意数と、これらパッドの内の打叩が行われたものに対し、当該のパッドに割り当てられた打楽音信号を出力する発音制御装置３（トリガモジュール）とからなるものである点は従来例のものと同様である。
【０００７】
尚、この実施形態においての図示はシンバル用パッド（図２参照）の例で行うが、本発明は実施を前記したシンバル用パッドに限定するものではなく、例えば、ドラム用パッド２Ａなど何れの種類のパッドに実施することも全く同様の手段で可能である。従って、以下の説明ではパッド２と総称して説明を行う。
【０００８】
前記パッド２は、打叩部２０と、その外周であるパッド枠２１とからなり、さらにパッド枠２１に導光部２１ａを設けるものである。このときに、前記パッド２の外表面は例えばゴム部材など適宜な弾力性を有する部材で覆われているものであるので、前記導光部２１ａもシリコンゴム、エラストマ樹脂など透明若しくは半透明で且つ適宜な弾力性を有する部材で形成されて、打叩が行われたときの違和感を生じないものとされている。
【０００９】
また、前記導光部２１ａ内（図２（Ｂ）参照）、若しくは、前記打叩部２０内であって前記導光部２１ａに略接する状態（図２（Ｃ）参照）とされてＬＥＤランプなどの光源４が設けられ、該光源４は、電源装置、或いは、前記制御装置３からの信号により点灯或いは点滅が行えるものとされている。
【００１０】
このときには、図２（Ｂ）のものに比して、図２（Ｃ）のものの方が打叩が行われたときの衝撃が光源４に伝わり難いため、光源４の保護に好適である。また、前記導光部２１ａのパッド枠２１に設ける位置、設ける数などは自在であり、例えば、パッド枠２１の全体を導光部２１ａとしても良く、或いは、パッド枠２１の円周に沿い任意数に分割した位置にそれぞれに導光部２１ａを設けても良いものである。
【００１１】
更には、前記導光部２１ａと光源４との組合せも自在であり、例えば、パッド枠２１の全体とされた導光部２１ａ中にインサートモールドなど適宜な手段により複数個所に光源４が設けられていても良く、或いは、パッド枠２１の複数個所に配分して設けられた導光部２１ａのそれぞれに光源４が配置されていても良いものである。
【００１２】
また、前記光源４は、赤色など単色発光のＬＥＤランプでも良いが、例えばフルカラー表示装置の光源として採用されているような、３原色の発光素子を一体に組合せ、各色の輝度を調整することで任意の色彩が表示できるものとすることも自在である。また、１つの導光部２１ａ内にそれぞれ発光色の異なる複数の光源を内蔵させることにより多色発光可能なようにしても良い。
【００１３】
そして、本発明においては、前記光源４の点灯或いは点滅を行うに当たっては、点灯信号発生手段５が設けられるものであり、この点灯信号発生手段５は上記の構成としたシンバル用パッド２に対して、演奏者などが所望する条件に従う点灯或いは点滅状態が与えられるものとされている。
【００１４】
例えば、前記点灯信号発生手段５として、各パッドについて、点灯させる前記電源４の数、発光輝度、点滅周期、発光色などを自由に設定可能な電源装置を設けておき、予め各パッドに割り当てる打楽器の種類などに応じて光源の発光数、発光輝度、点滅周期、発光色などが異なるように各パッドの点滅態様を設定しておく。
【００１５】
このようにすると、各パッドの大きさや形状が同じであっても、演奏者はパッドの点灯態様を見ることにより、該パッドに割り当てた打楽器の種類などを容易に把握することができ、演奏のミスを防止することができる。また、パッド枠２１に設けた導光部２１ａが発光するため、パッドの形状及びその大きさを容易に把握することができるため、例えば暗いステージ上における演奏時であっても、正しくパッドを打叩することができる。
【００１６】
また、前記トリガーモジュール３における各パッドに対する打楽器音の割り当て状態に応じて、前記点灯信号発生手段５における各パッドの点灯態様を自動的に設定するようにしても良い。例えば点灯信号発生手段５内に「設定打楽器音―点灯態様テーブル」を設け、トリガーモジュール３から各パッドに対する打楽器音の割り当てを示す信号を受けて、該割り当て信号をもとに前記テーブルを参照することにより、各パッドに対する点灯態様を自動決定することができる。
【００１７】
あるいは、トリガーモジュール側に前記テーブルを設け、トリガーモジュール側で各パッドに対する割り当てが行われると、トリガーモジュールは該割り当て状態に応じて各パッドに対する点灯態様信号を送信するようにし、点灯信号制御手段５は該点灯態様信号を受信して各パッドにおける点灯態様を自動制御するようにしても良い。
【００１８】
逆に、点灯信号制御手段５側で各パッドに対する点灯態様を設定すると、それに応じてトリガーモジュール側で、各パッドに対して割り当てる打楽器音を自動的に設定するようにしても良い。尚、各パッドに対する打楽器音の割り当てや、点灯態様の設定は、演奏者がマニアル操作で行うようにしても良いし、曲に対応させて各パッドに対する打楽器音の割り当てや点灯態様の設定状態を記憶しておき、演奏する曲に合わせて、自動的に設定するようにしても良い。
【００１９】
また、パッド２における打叩部２０、パッド枠２１の双方に打撃検出センサを設け、打叩部２０を打撃した場合と、パッド枠２１を打撃した場合とで異なる音色（例えば打叩部２０の打撃においては通常のドラム音、パッド枠２１の打撃においてはリムショット音）の打楽器音を発生可能に構成することもできる。このようにした場合に、パッド枠２１が点灯するため、例えば暗いステージにおいても、打叩部２０とパッド枠２１との打ち分けが容易となる。
【００２０】
【発明の効果】
以上に説明したように本発明により、パッドの外周であるパッド枠の少なくとも一部を発光させるための発光手段を有する電子ドラムとしたことで、例えば、演奏会場、特に電子ドラムが設置される位置が暗い場合にも、各パッドは明確に位置の把握が行えるものとなり、誤打の発生などを防止して正確な演奏が行えるものとし、音楽性の向上にも優れた効果を奏するものとなる。
【００２１】
また、上記に加えて、各パッド毎に独立に発光手段の発光態様を制御する制御手段と、各パッドに対して任意の音色を割り当てる音色割り当て手段と、各パッドの打叩に応答して該打叩されたパッドに対して音色割当手段で割り当てられた音色の楽音信号を発生する楽音発生手段とを設け、前記制御手段は、前記音色割当手段で各パッドに割当てられた音色に応じて前記各パッド毎に独立に発光手段の発光態様を制御する電子ドラムとすることで、各パッドに割り付けられた打楽器の種類など、演奏者が所望する情報を発光色、発光数などにより告知できるものとして誤打などを防止し、演奏者が演奏に専念できるものとして電子ドラムの実用性の向上に極めて優れた効果を奏するものである。
【図面の簡単な説明】
【図１】  本発明に係る電子ドラムの実施形態を示す構成図である。
【図２】  同じ実施形態の要部であるパッドを示す説明図である。
【符号の説明】
１……電子ドラム
２（Ａ〜Ｄ）……パッド
２０……打叩部
２１……パッド枠
２１ａ……導光部
３……発音制御装置（トリガーモジュール）
４……光源
５……点灯信号発生手段
【図１】
0003849238.tif 000002
【図２】
0003849238.tif 000003